(57)【要約】【課題】  繰り返し位置を変更して使用しても、チェーンの好きな位置に係止させることができるアクセサリー用パーツを提供することである。【解決手段】  貴金属製の殻部材４と、その内側に設けた弾性材料製の中間部材５と、この中間部材の内側に設けた耐摩耗性樹脂製の狭持部材６とからなり、上記殻部材４には、少なくとも一対の開口４ａ，４ｂを備え、上記狭持部材６には、上記殻部材４の開口４ａ，４ｂ間を連通させる貫通孔６ａを形成するとともに、この貫通孔６ａの内周の少なくとも一部を、この貫通孔６ａに通すチェーンなどの狭持対象の外周より小さく形成した点に特徴を有する。【選択図】  図１
2005328891.tif 000002
【特許請求の範囲】
【請求項１】
貴金属製の殻部材と、その内側に設けた弾性材料製の中間部材と、この中間部材の内側に設けた耐摩耗性樹脂製の狭持部材とからなり、上記殻部材には、少なくとも一対の開口を備え、上記狭持部材には、上記殻部材の開口間を連通させる貫通孔を形成するとともに、この貫通孔の内周の少なくとも一部を、この貫通孔に通すチェーンなどの狭持対象の外周より小さく形成したことを特徴とするアクセサリー用パーツ。
【請求項２】
上記狭持部材を形成する耐摩耗性樹脂の圧縮率を、上記中間部材を形成する弾性材料の圧縮率よりも小さくしたことを特徴とする請求項１に記載のアクセサリー用パーツ。
【発明の詳細な説明】
【技術分野】
【０００１】
この発明は、ネックレスやブレスレットなどのチェーン状アクセサリーに用いるアクセサリー用パーツに関する。
【背景技術】
【０００２】
服装や、使用者の体格などに応じて、ネックレスやブレスレットなどのチェーンの長さを調節することができるアクセサリー用パーツとして、図６に示すパーツｐがあった。このパーツｐには、チェーン３の一端を固定するとともに、貫通孔を形成している。この貫通孔にチェーン３の他端側を通して用いるものである。
上記パーツｐは、図７の断面図に示すように貴金属製の殻部材１の内側に、ゴムなどの弾性材２を設け、上記殻部材１に、一対の貫通孔１ａ，１ｂを形成している。そして、上記弾性材２にも、上記貫通孔１ａと１ｂとに対応する位置に、開口を備えた貫通孔２ａを形成している。この貫通孔２ａを、チェーン３の外径よりもやや小さく形成し、チェーン３を通す際には、チェーン３が上記貫通孔２ａを押し広げるようにしている。
【０００３】
そこで、貫通孔１ａ、２ａ、１ｂにチェーン３を貫通させると、貫通孔２ａを押し広げられた弾性材２は、その変形を戻そうとして弾性力を発揮する。その結果、貫通させたチェーン３は、上記弾性材２の弾性力によって締め付けられ、この締め付け力によってパーツｐがチェーン３の途中に係止させられる。
従って、パーツｐをチェーン３のどの位置にも係止させることができ、その係止位置を変えることによって、ネックレスなどの環状部分の長さや、装飾パーツの位置を調節することができるようにしている（特許文献１参照）。
【特許文献１】特開平１１−４６８２６号公報
【発明の開示】
【発明が解決しようとする課題】
【０００４】
上記のようなパーツｐは、内部に設けた弾性材２の弾性力によってチェーン３上に係止するようにしている。
しかし、チェーン３の長さを調節するために、パーツｐの位置をずらすと、そのたびに、上記貫通孔２ａ内が、チェーン３で摩擦される。そこで、パーツｐの位置の変更を繰り返すと、貫通孔２ａの内壁が、摩耗してしまうという問題があった。貫通孔２ａの内壁が摩耗してしまうと、孔径が大きくなってしまい、そこに通したチェーン３に対して作用する弾性力が弱くなってしまう。そのため、パーツｐが、チェーン３上を滑ってしまって、好きな位置に係止させることができなくなってしまう。
【０００５】
上記パーツｐが好きな位置に係止できなくなると、アクセサリーとしての装飾効果が半減してしまうだけでなく、このパーツｐをブレスレットなどに用いた場合には、環が大きくなりすぎて手首から外れ、ブレスレットを落としてしまうという問題もあった。
この発明の目的は、繰り返し位置を変更して使用しても、チェーンの好きな位置に係止させることができるアクセサリー用パーツを提供することである。
【課題を解決するための手段】
【０００６】
第１の発明のアクセサリー用パーツは、貴金属製の殻部材と、その内側に設けた弾性材料製の中間部材と、この中間部材の内側に設けた耐摩耗性樹脂製の狭持部材とからなり、上記殻部材には、少なくとも一対の開口を備え、上記狭持部材には、上記殻部材の開口間を連通させる貫通孔を形成するとともに、この貫通孔の内周の少なくとも一部を、この貫通孔に通すチェーンなどの狭持対象の外周より小さく形成した点に特徴を有する。
第２の発明は、上記第１の発明を前提とし、上記狭持部材を形成する耐摩耗性樹脂の圧縮率を、上記中間部材を形成する弾性材料の圧縮率よりも小さくした点に特徴を有する。
【発明の効果】
【０００７】
第１、第２の発明によれば、狭持部材の貫通孔内周が摩耗し難いので、何回も位置を変更しても、貫通孔に貫通させたチェーンなどに対する狭持力が弱まることがない。
そのため、このアクセサリー用パーツは、繰り返しの使用に耐え、いつでも、好きな位置に係止させることができる。
【発明を実施するための最良の形態】
【０００８】
図１〜図５を用いて、この発明の一実施形態を説明する。
図１は、この発明のアクセサリー用パーツｐ１の断面図である。図１に示すように、パーツｐ１は、球形の貴金属製殻部材４の中に、例えば、ジメチルポリシロキサンなど、一般的なゴムで形成された中間部材５と、さらにその内部に筒状の狭持部材６を設けている。この狭持部材６は、耐摩耗性樹脂である耐摩耗性シリコンゴムで形成され、中央に貫通孔６ａを形成している。
上記狭持部材６を形成する耐摩耗性シリコンゴムは、中間部材５を構成するゴムと比べて、圧縮率が小さい、いわゆる硬いゴムである。
【０００９】
なお、上記殻部材４は、２個の半球を接続して形成したものである。
そして、殻部材４の両側には、一対の開口４ａ，４ｂを形成している。これらの開口４ａと４ｂに連続して、中間部材５に、通孔５ａ，５ｂを設け、さらに、両通孔５ａ，５ｂ間に、狭持部材６の貫通孔６ａを配置している。このように、殻部材４の開口４ａから開口４ｂまでが連通しているので、この連通路内に、アクセサリー用チェーンを貫通させて用いる。その使用形態は、図６に示す従来例と同じである。従って、図示しないが、パーツｐ１内に通すチェーンが、この発明の被狭持対象に当たる。
そして、貫通孔６ａは、軸方向中央部が狭い鼓状をしていて、中央付近の内径を、ここに通すアクセサリー用チェーンの外径より小さくしている。そこで、貫通孔６ａを押し広げてチェーンを通すと、上記チェーンには狭持部材６の弾性力が作用して、パーツｐ１をチェーン上に係止させることができる。
【００１０】
上記狭持部材６の耐摩耗性シリコンゴムは、中間部材５より変形し難い材質であるが、チェーンを貫通させることによって、わずかに変形させて、弾性力を発揮させている。
しかし、貫通させるチェーンの位置や種類によって、チェーン外径や、形状に差があった場合には、狭持部材６のわずかな変形だけでは、対応できないことがある。
その場合には、上記狭持部材６の周囲を囲んでいる中間部材５が変形して、貫通孔６ａ内の変形や傾きを吸収することができる。
従って、位置によって外径や形状が異なるチェーン状アクセサリーに用いることができるだけでなく、形状の異なるチェーンを用いたアクセサリーの汎用パーツとしても利用できる。
【００１１】
以上のように、パーツｐ１は、貫通させるチェーンの外径や形状に応じた変形を中間部材５が吸収するようにしている。また、チェーンと直接接触する狭持部材６には、耐摩耗性樹脂を採用しているので、パーツｐ１の位置の変更を繰り返しても、狭持部材６の貫通孔６ａの内周が摩耗する心配がない。従って、いつまでも、チェーンの好きな位置に、パーツｐ１を係止させることができる。
【００１２】
次に、上記パーツｐ１の組み立て方法の一例を、図２〜図５を用いて簡単に説明する。
図２は、パーツ組み立て治具７である。組み立て治具７は、基台８を囲む側壁９と、基台８上に設けた支持ピン１０とからなる。支持ピン１０は、円錐台状の台部１０ａとその上に起立したピン部１０ｂと、ピン部１０ｂの下方に設けたフランジ状のストッパー部１０ｃとからなる。
【００１３】
まず、図３に示すように、殻部材４の下半球を支持ピン１０の台部１０ａ上にセットする。すなわち、図３は、殻部材４の下半球の開口４ｂが、台部１０ａに接触した状態である。
次に、上記ピン部１０ｂに耐摩耗性シリコン樹脂で形成した狭持部材６を被せ、ストッパー部１０ｃに狭持部材６の端面が突き当たるまで押し込む。上記貫通孔６ａは、断面を鼓状に形成されているが、ピン部１０ｂを挿入することによって円筒状になっている。
【００１４】
さらに、殻部材４の上半球を被せて上下半球を接着し、狭持部材６を殻部材４で囲む（図４参照）。このとき、殻部材４の上半球に形成した開口４ａから、ピン部１０ｂが突出し、上記開口４ａの内周と、ピン部１０ｂの外周との間には隙間がある。
次に、図５に示すように、ホッパー１１を、殻部材４の開口４ａにセットする。
そして、上記ホッパー１１から、殻部材４内部に、中間部材５を形成するための液状のゴム材を、矢印ｘのように注入する。上記ゴム材を、殻部材４内に充填したら、ゴム材を硬化させて、中間部材５を形成し、殻部材４を支持ピン１０から抜き取る。
最後に、開口４ａおよび４ｂからはみ出したゴム材を取り除き、必要に応じて表面加工を行って、パーツｐ１を完成させる。
【００１５】
なお、上記実施形態では、貫通孔６ａの断面形状を鼓状にしたが、断面が鼓状である必要はない。貫通孔６ａに、チェーン外径よりも小さな内径部分を設ければ、弾性力によってチェーンを狭持することができるので、貫通孔形状は、上記のものに限らない。例えば、複数の凹凸を形成して、貫通されたチェーンに対して、より引っかかり易くすることもできるし、単に、円筒状にしてもかまわない。
また、狭持部材に形成する貫通孔を複数設けて、チェーンの両端側をそれぞれ貫通させるようにしてもよいし、１つの貫通孔にチェーンの両側を同時に貫通させるようにしてもよい。
【図面の簡単な説明】
【００１６】
【図１】この発明のアクセサリー用パーツの断面図である。
【図２】アクセサリー用パーツの組み立て治具の部分断面図である。
【図３】アクセサリー用パーツの組み立て手順の説明図で、殻部材の半球と狭持部材とをセットした状態である。
【図４】アクセサリー用パーツの組み立て手順の説明図で、図３の次工程を示している。
【図５】アクセサリー用パーツの組み立て手順の説明図で、図４の次工程を示している。
【図６】従来例のアクセサリー用パーツの使用形態を示した平面図である。
【図７】従来例のアクセサリー用パーツの断面図である。
【符号の説明】
【００１７】
ｐ１    パーツ
４      殻部材
４ａ    開口
４ｂ    開口
５      中間部材
６      狭持部材
６ａ    貫通孔
【図１】
2005328891.tif 000003
【図２】
2005328891.tif 000004
【図３】
2005328891.tif 000005
【図４】
2005328891.tif 000006
【図５】
2005328891.tif 000007
【図６】
2005328891.tif 000008
【図７】
2005328891.tif 000009